(57)【要約】【課題】通信端末が所望の通信網に接続せずに他の通信網に接続した場合であっても、所望の通信網に接続した場合と同じ取り扱いを可能とすることで、ユーザの利便性の向上やユーザの不満の解決することを可能とする。【解決手段】ＦＭＣ対応端末１の接続先が固定網３及び移動網５のいずれであるかに基づいてＦＭＣ対応端末１に対する課金を管理する課金サーバ７とを有する。ＦＭＣ対応端末１は、固定網３から送信される制御信号の受信状態を判定し、受信状態が一定の条件を満たす場合、制御信号を受信可能であることを示す通知を課金サーバ７に送信する。課金サーバ７は、上記通知に基づき、ＦＭＣ対応端末１が制御信号を受信可能であることを検知し、ＦＭＣ対応端末１が制御信号を受信可能であり、且つ、ＦＭＣ対応端末１が移動網５に接続している場合、ＦＭＣ対応端末１が固定網３に接続していると判定する。【選択図】図１
2008092179.tif 000002
【特許請求の範囲】
【請求項１】
第１及び第２通信網に接続可能な通信端末と、前記通信端末の接続先が前記第１及び第２通信網のいずれであるかに基づいて前記通信端末に対するサービスの提供を管理する管理装置とを有する通信システムであって、
前記通信端末は、
前記第１通信網から送信される制御信号の受信状態を判定する受信判定部と、
前記受信状態が一定の条件を満たす場合、前記制御信号を受信可能であることを示す通知を前記管理装置に送信する通知送信部とを備え、
前記管理装置は、
前記通知に基づき、前記通信端末が前記制御信号を受信可能であることを検知する検知部と、
前記通信端末が前記制御信号を受信可能であり、且つ、前記通信端末が前記第２通信網に接続している場合、前記通信端末が前記第１通信網に接続していると判定する接続判定部と
を備えることを特徴とする通信システム。
【請求項２】
前記管理装置は、前記通信端末に対する通信サービスの提供についての課金を管理することを特徴とする請求項１に記載の通信システム。
【請求項３】
前記第１通信網は、固定電話網及びそのアクセスポイントを含み、
前記第２通信網は、移動電話網及びその基地局を含み、
前記アクセスポイントは、前記制御信号を送信する
ことを特徴とする請求項１又は２に記載の通信システム。
【請求項４】
前記管理装置は、前記通信端末に対するコンテンツの提供を管理することを特徴とする請求項１に記載の通信システム。
【請求項５】
第１及び第２通信網に接続可能な通信端末と、前記通信端末の接続先が前記第１及び第２通信網のいずれであるかに基づいて前記通信端末に対するサービスの提供を管理する管理装置とを有する通信システムにおける通信端末であって、
前記第１通信網から送信される制御信号の受信状態を判定する受信判定部と、
前記受信状態が一定の条件を満たす場合、前記制御信号を受信可能であることを示す通知を前記管理装置に送信する通知送信部と
を備えることを特徴とする通信端末。
【請求項６】
第１及び第２通信網に接続可能な通信端末と、前記通信端末の接続先が前記第１及び第２通信網のいずれであるかに基づいて前記通信端末に対するサービスの提供を管理する管理装置とを有する通信システムにおける管理装置であって、
前記通信端末から送信された、前記第１通信網からの制御信号を受信可能であることを示す通知に基づき、前記通信端末が前記制御信号を受信可能であることを検知する検知部と、
前記通信端末が前記制御信号を受信可能であり、且つ、前記通信端末が前記第２通信網に接続している場合、前記通信端末が前記第１通信網に接続していると判定する接続判定部と
を備えることを特徴とする管理装置。
【発明の詳細な説明】
【技術分野】
【０００１】
本発明は、第１及び第２通信網に接続可能な通信端末と、この通信端末の接続先が第１及び第２通信網のいずれであるかに応じて通信端末に対するサービスの提供を管理する管理装置とを有する通信システム、この通信システムにおける通信端末及び管理装置に関する。
【背景技術】
【０００２】
移動電話網（以下「移動網」）との通信や、固定電話網（以下「固定網」）との通信を１つの携帯端末で実現するＦＭＣ（Fixed Mobile Convergence）が知られている（例えば、特許文献１参照）。ＦＭＣに対応した携帯電話端末（以下「ＦＭＣ対応端末」）は、無線ＬＡＮやＢｌｕｅｔｏｏｔｈ（登録商標）といった近距離無線通信技術を用いて、固定網のアクセスポイント（以下「ＡＰ」）を介して、固定網との通信を実施する。ＦＭＣ対応端末においては、固定網及び移動網のいずれに接続する場合でも、共通の電話番号をユーザが使用する。
【０００３】
ＡＰは、例えば家庭用に設置される場合、通常、１つの家のみをカバーするような小規模なカバレージを持つようにして１つ又は複数設置される。ＦＭＣ対応端末は、宅内ではＡＰを介して固定網に接続し、宅外では移動網に接続する。固定網及び移動網のいずれにも接続できるような場所、つまり宅内では、ＦＭＣ対応端末は固定網への接続を優先して実行する。
【０００４】
また、ＦＭＣ対応端末に対する課金では、移動網に接続した場合には携帯電話の料金を課金し、固定網に接続した場合には固定電話の料金を課金する。固定網への接続料金は、一般的に、移動網への接続料金よりも安価である。このため、ユーザにとっては、自宅にいる間は、携帯電話端末を使用しながらも固定網の課金となることが最大のメリットとなる。
【特許文献１】特開２００２−３００３２１号公報
【発明の開示】
【発明が解決しようとする課題】
【０００５】
しかしながら、ＦＭＣ対応端末を使用する際、障害物などによる電波遮蔽や妨害、あるいはＡＰがビジー状態であることにより、ＡＰの近く、つまり宅内であっても、ＦＭＣ対応端末とＡＰとの間で音声通話を行うに足る通信品質を維持できないことがある。ＦＭＣ対応端末とＡＰとの間で十分な通信品質を確保できない場合には、（１）低品質な状態で固定網との接続を維持する、（２）接続先を移動網へ切替る、の２種類の解決策がある。
【０００６】
低品質な状態で固定網との接続を維持する場合、接続断の危険性が増大する。接続先を移動網へ切替る場合には、通信品質の劣化は生じないが、移動網の課金が行われるために、接続料金が増加する。この場合、ユーザとしては、本来固定網の課金を受けるべきであると考えている場所で、移動網の課金を受けることになる。したがって、課金に対するユーザの不満が発生し、クレームに発展する可能性もある。
【０００７】
この解決方法として、ＡＰの送信電力を増加させてカバレージを広げるという方法があるが、ＡＰの送信電力を増加させると、隣家に干渉波を与えてしまうので、隣家における通信品質を劣化させてしまう。あるいは、自宅内のＡＰ数を増加させるという解決方法もあるが、コストが増加し、且つ、各ＡＰ間で干渉が生じるという問題がある。
【０００８】
一方で、上記のように、所望の通信網（固定網）に接続困難であるために他の通信網（移動網）に接続した場合に、ユーザの利便性が低下するという問題は、固定網及び移動網間に限らず、任意の通信網間においても生じ得る。
【０００９】
上記問題点に鑑み、本発明は、通信端末が所望の通信網に接続せずに他の通信網に接続した場合であっても、所望の通信網に接続した場合と同じ取り扱いを可能とすることで、ユーザの利便性の向上やユーザの不満の解決することが可能な通信システム、通信端末、及び管理装置を提供することを目的とする。
【課題を解決するための手段】
【００１０】
上記目的を達成するために、本発明の特徴は、第１通信網（例えばＡＰ２、固定網３）及び第２通信網（例えば移動網基地局４、移動網５）に接続可能な通信端末（例えばＦＭＣ対応端末１）と、前記通信端末の接続先が前記第１及び第２通信網のいずれであるかに基づいて前記通信端末に対するサービスの提供を管理する管理装置（例えば課金サーバ７）とを有する通信システムであって、前記通信端末は、前記第１通信網から送信される制御信号の受信状態を判定する受信判定部（固定網用ベースバンド部１２、ＦＭＣ接続制御部１５）と、前記受信状態が一定の条件を満たす場合、前記制御信号を受信可能であることを示す通知を前記管理装置に送信する通知送信部（ＦＭＣ接続制御部１５）とを備え、前記管理装置は、前記通知に基づき、前記通信端末が前記制御信号を受信可能であることを検知する検知部（検知部７２）と、前記通信端末が前記制御信号を受信可能であり、且つ、前記通信端末が前記第２通信網に接続している場合、前記通信端末が前記第１通信網に接続していると判定する接続判定部（接続判定部７３）とを備えることを要旨とする。ここで、「受信状態が一定の条件を満たす」とは、例えば制御信号を受信できたこと、あるいは制御信号を一定の受信レベル又は一定の誤り率で受信できたことを意味する。
【００１１】
このような特徴によれば、通信端末が第１通信網からの制御信号を受信可能である場合には、実際には第２通信網に接続していても、第１通信網に接続しているとみなすことができる。したがって、通信端末が第１通信網に接続困難であるために第２通信網に接続した場合、第１通信網に接続した場合と同じ取り扱いを可能とすることで、ユーザの利便性の向上やユーザの不満の解決することが可能となる。
【００１２】
上記の特徴に係る通信システムにおいて、前記管理装置は、前記通信端末に対する通信サービスの提供についての課金を管理することが好ましい。
【００１３】
上記の特徴に係る通信システムにおいて、前記第１通信網は、固定網及びそのアクセスポイントを含み、前記第２通信網は、移動網及びその基地局を含み、前記アクセスポイントは、前記制御信号を送信することが好ましい。
【００１４】
上記の特徴に係る通信システムにおいて、前記管理装置は、前記通信端末に対するコンテンツの提供を管理することが好ましい。
【００１５】
本発明の他の特徴は、第１及び第２通信網に接続可能な通信端末と、前記通信端末の接続先が前記第１及び第２通信網のいずれであるかに基づいて前記通信端末に対するサービスの提供を管理する管理装置とを有する通信システムにおける通信端末であって、前記第１通信網から送信される制御信号の受信状態を判定する受信判定部と、前記受信状態が一定の条件を満たす場合、前記制御信号を受信可能であることを示す通知を前記管理装置に送信する通知送信部とを備えることを要旨とする。
【００１６】
本発明の更に他の特徴は、第１及び第２通信網に接続可能な通信端末と、前記通信端末の接続先が前記第１及び第２通信網のいずれであるかに基づいて前記通信端末に対するサービスの提供を管理する管理装置とを有する通信システムにおける管理装置であって、前記通信端末から送信された、前記第１通信網からの制御信号を受信可能であることを示す通知に基づき、前記通信端末が前記制御信号を受信可能であることを検知する検知部と、前記通信端末が前記制御信号を受信可能であり、且つ、前記通信端末が前記第２通信網に接続している場合、前記通信端末が前記第１通信網に接続していると判定する接続判定部とを備えることを要旨とする。
【発明の効果】
【００１７】
本発明によれば、通信端末が所望の通信網に接続せずに他の通信網に接続した場合であっても、所望の通信網に接続した場合と同じ取り扱いを可能とすることで、ユーザの利便性の向上やユーザの不満の解決することが可能な通信システム、通信端末、及び管理装置を提供できる。
【発明を実施するための最良の形態】
【００１８】
次に、図面を参照して、本発明の実施形態を説明する。以下の実施形態における図面の記載において、同一又は類似の部分には同一又は類似の符号を付している。
【００１９】
（通信システムの全体構成例）
先ず、本実施形態に係る通信システムの全体構成例について説明する。図１は、本実施形態に係る通信システムの全体構成例を示す図である。
【００２０】
本実施形態に係る通信システムは、ＦＭＣ対応端末１と、ＡＰ２と、固定網３と、移動網基地局４と、移動網５と、コアネットワーク６と、課金サーバ７とを備える。
【００２１】
ＦＭＣ対応端末１は、２系統の無線通信インタフェースを具備し、固定網３のＡＰ２と、移動網５の移動網基地局４とに接続可能なように構成されている。
【００２２】
ＡＰ２は、ＦＭＣ対応端末１のユーザの宅内に設置されている。ＡＰ２は、宅内に制御信号を周期的に報知している。この制御信号にはＡＰ２を識別する識別子（例えばＥＳＳＩＤ（Extended Service Set Identifier））が含まれている。
【００２３】
なお、宅内に設置された固定電話に近距離無線通信モジュールが実装されている場合には、固定電話をＡＰ２として用いても良い。なお、固定網３は、例えばＩＰ（Internet Protocol）網として構成されている。
【００２４】
移動網基地局４は、通信可能なエリアであるセルを構成しており、移動網基地局４のセル内にＦＭＣ対応端末１が在圏しているものとする。移動網５は、例えば無線アクセスネットワーク（ＲＡＮ；Radio Access Network）として構成される。
【００２５】
コアネットワーク６は、固定網３と移動網５との間を相互に接続しており、固定網３及び移動網５は、コアネットワーク６を介して互いに通信可能なように構成されている。
【００２６】
課金サーバ７は、ＦＭＣ対応端末１に対する通信サービスの提供についての課金を管理する。具体的には、課金サーバ７は、ＦＭＣ対応端末１が固定網３に接続したか、移動網５に接続したかを監視し、ＦＭＣ対応端末１の接続先に応じた課金を行う。
【００２７】
図１の例においては、ＦＭＣ対応端末１とＡＰ２との間に障壁８が存在している。よって、ＦＭＣ対応端末１は、自宅内に位置しているにも関わらず、ＡＰ２と音声通信を行うことができずに移動網５側と接続している。しかし、音声通信を行うことができなくても、ＡＰ２からの下りの制御信号をスキャンすることは可能である。
【００２８】
ＦＭＣ対応端末１は、移動網５と音声通信を行いつつ、ＡＰ２からの制御信号の受信を定期的に試みる。ＦＭＣ対応端末１は、ＡＰ２からの制御信号の受信に成功した場合、制御信号を受信したことを示す通知（以下「固定網受信通知」）を移動網５又は固定網３を介し、課金サーバ７に向けて送信する。
【００２９】
課金サーバ７は、ＦＭＣ対応端末１から固定網受信通知を受信している間は、ＦＭＣ対応端末１が宅内に存在するものとして、ＦＭＣ対応端末１に対して固定網（固定電話）用の課金を行う。
【００３０】
このように、本実施形態では、ＦＭＣ対応端末１が移動網５と接続して通信を行っていても、ＡＰ２からの制御信号を受信している場合には宅内に存在するものとして、ＦＭＣ対応端末１に対して固定網（固定電話）用の課金を行う。したがって、宅内に存在していても、ＦＭＣ対応端末１とＡＰ２との間で通信（例えば音声通信）を行うに足る通信品質を維持できない場合に、ＦＭＣ対応端末１に対して固定網（固定電話）用の課金を行うことで、課金に対するユーザの不満が発生することを回避できる。
【００３１】
なお、課金サーバ７は、ＦＭＣ対応端末１がＡＰ２からの制御信号を受信できなくなったことを検知すると、ＦＭＣ対応端末１が宅内に存在しないものとして、ＦＭＣ対応端末１に対して移動網（移動電話）用の課金を行う。ＦＭＣ対応端末１がＡＰ２からの制御信号を受信できなくなったことの判断は、例えば、次の（１）又は（２）の方法によって行われる。
【００３２】
（１）ＦＭＣ対応端末１が、固定網受信通知を移動網５（移動網基地局４）を介して課金サーバ７に送信している場合には、ＦＭＣ対応端末１は、ＡＰ２からの制御信号を受信できなくなると、その旨を示す通知（以下「固定網受信不可通知」）を移動網５（移動網基地局４）を介して課金サーバ７に送信する。課金サーバ７は、一定期間以上、固定網受信不可通知を受け取った場合は、ＦＭＣ対応端末１に対して、移動網５の課金を実行する。
【００３３】
（２）ＦＭＣ対応端末１が、固定網受信通知を固定網３（ＡＰ２）を介して課金サーバ７に送信している場合には、課金サーバ７は、固定網受信通知が一定時間以上届かない場合に、ＦＭＣ対応端末１に対して、移動網５の課金を実行する。
【００３４】
（ＦＭＣ対応端末の構成例）
次に、ＦＭＣ対応端末１の構成例について説明する。図２は、ＦＭＣ対応端末１の構成例を示す機能ブロック図である。
【００３５】
ＦＭＣ対応端末１は、アンテナ＃１，＃２と、固定網用高周波部（以下「固定網用ＲＦ部」）１１と、固定網用ベースバンド部１２と、移動網用高周波部（以下「移動網用ＲＦ部」）１３と、移動網用ベースバンド部１４と、ＦＭＣ接続制御部１５と、上位層処理部１６と、入出力部１７と、表示部１８とを備える。
【００３６】
固定網用ＲＦ部１１及び固定網用ベースバンド部１２は、固定網３と通信を行うためのものであり、移動網用ＲＦ部１３及び固定網用ベースバンド部１２は、移動網５と通信を行うためのものである。
【００３７】
固定網用ＲＦ部１１及び移動網用ＲＦ部１３は、送信信号のアップコンバート及び増幅などを行い、アンテナ＃１，＃２から電波として送出する機能と、アンテナ＃１，＃２からの受信信号のダウンコンバート及び増幅などを行う機能を有している。
【００３８】
固定網用ベースバンド部１２及び移動網用ベースバンド部１４は、送信時には、送信信号をＤ／Ａ変換すると共に通信に適したフォーマットに変換して、固定網用ＲＦ部１１及び移動網用ＲＦ部１３にそれぞれ出力する。一方、受信時には、固定網用ベースバンド部１２及び移動網用ベースバンド部１４は、受信信号をＡ／Ｄ変換及び復調などしてＦＭＣ接続制御部１５にそれぞれ出力する。
【００３９】
一例として、固定網用ＲＦ部１１及び固定網用ベースバンド部１２は、ＩＥＥＥ８０２．１１ａ／ｂ／ｇ等の無線ＬＡＮ方式、あるいはＢｌｕｅｔｏｏｔｈ（登録商標）等の近距離無線方式に準拠した構成を有している。これに対して移動網用ＲＦ部１３及び移動網用ベースバンド部１４は、ＣＤＭＡ方式又はＧＳＭ方式などに準拠した構成を有している。
【００４０】
ＦＭＣ接続制御部１５は、固定網３及び移動網５のいずれに接続・待ち受けするかを制御する。例えば、ＦＭＣ接続制御部１５は、固定網３（ＡＰ２）からの受信レベルが閾値以上となった場合に、固定網３と接続・待ち受けするよう固定網用ＲＦ部１１及び固定網用ベースバンド部１２を制御する。なお、ＦＭＣ接続制御部１５は、ＡＰ２の識別子を予め記憶し、ＡＰ２からの制御信号に含まれる識別子と、予め記憶した識別子とが一致した場合に、ＡＰ２と接続を確立する。
【００４１】
また、ＦＭＣ接続制御部１５は、移動網５と接続中でも、固定網用ベースバンド部１２に指令を出し、一定期間毎に制御信号の受信を試みる。
【００４２】
上位層処理部１６は、アプリケーション処理部１６１と、ＩＰ制御部１６２とを備える。アプリケーション処理部１６１は、任意のアプリケーションを実行する。ＩＰ制御部１６２は、所定のプロトコル（例えばＴＣＰ，ＵＤＰ，ＳＩＰなど）に従って通信を制御する。
【００４３】
入出力部１７は、音声を入出力するためのスピーカ・マイクや、発信時の相手電話番号を入力するための数字キー、発呼の開始を指示するための発呼開始キー、通話の終了を指示するための通話終了キーなどを備えている。表示部１８は例えば液晶表示装置（ＬＣＤ）であり、上位層処理部１６の制御下で各種の情報を表示する。
【００４４】
（課金サーバの構成例）
次に、課金サーバ７の構成例について説明する。図３は、課金サーバ７の構成例を示す機能ブロック図である。
【００４５】
課金サーバ７は、通信インタフェース部（以下「通信Ｉ／Ｆ部」）７１と、検知部７２と、接続判定部７３と、課金処理部７４と、課金情報データベース（以下「課金情報ＤＢ」）７５とを備える。
【００４６】
通信Ｉ／Ｆ部７１は、コアネットワーク６と各種の情報を授受する。検知部７２は、固定網受信通知に基づき、ＦＭＣ対応端末１がＡＰ２からの制御信号を受信可能であることを検知する。
【００４７】
接続判定部７３は、ＦＭＣ対応端末１の接続先が移動網５であるか固定網３であるかを判定する。上述したように、接続判定部７３は、ＦＭＣ対応端末１がＡＰ２からの制御信号を受信可能であり、且つ、ＦＭＣ対応端末１が移動網５（移動網基地局４）に接続している場合、ＦＭＣ対応端末１が固定網３（ＡＰ２）に接続していると判定する。
【００４８】
課金処理部７４は、接続判定部７３の判定結果に基づいて課金処理を実行する。課金情報ＤＢ７５は、ＦＭＣ対応端末１についての課金情報を記憶する。具体的には、課金情報ＤＢ７５は、ＦＭＣ対応端末１の端末識別子と、固定網３についての接続料金と、移動網５についての接続料金とを対応付けて記憶している。
【００４９】
（通信システムの動作概要）
次に、本実施形態に係る通信システムの動作概要について説明する。ただし、（１）ＦＭＣ対応端末１が固定網３から移動網５へハンドオーバを行う場合と、（２）ＦＭＣ対応端末１が移動網５から固定網３へハンドオーバを行う場合とに分けて説明する。図４は、本実施形態に係る通信システムの動作概要を示すフローチャートである。
【００５０】
（１）ＦＭＣ対応端末１が固定網３から移動網５へハンドオーバを行う場合：
ステップＳ１０１において、ＦＭＣ対応端末１は、固定網３に接続可能かを判定する。具体的には、ＡＰ２からの制御信号を受信可能であり、且つ、ＡＰ２からの受信レベルが閾値以上である場合に、固定網３に接続可能であると判定される。ここでは、固定網３に接続可能であると判定されて、ステップＳ１０２の処理に進むものとする。
【００５１】
ステップＳ１０２において、ＦＭＣ対応端末１は、固定網３に接続する。
【００５２】
ステップＳ１０３において、課金サーバ７は、ＦＭＣ対応端末１に対して、固定網３についての課金を行う。
【００５３】
ステップＳ１０４において、ＦＭＣ対応端末１は、固定網３（ＡＰ２）からの受信レベルを測定する。なお、ここでは受信レベルを測定しているが、受信レベルに代えて誤り率（例えばビット誤り率、ブロック誤り率）を使用しても良い。
【００５４】
ステップＳ１０５において、ＦＭＣ対応端末１は、固定網３との接続を維持可能かを判定する。具体的には、ＦＭＣ対応端末１は、ステップＳ１０４で測定した受信レベルを閾値と比較し、受信レベルが閾値以上である場合に、固定網３との接続を維持可能であると判定する。固定網３との接続を維持可能であると判定された場合には、ステップＳ１０３の処理に進む。一方、固定網３との接続を維持不可能、つまり通信品質を所要品質に維持できないと判定された場合には、ステップＳ１０６の処理に進む。
【００５５】
ステップＳ１０６において、ＦＭＣ対応端末１は、固定網３から移動網５へハンドオーバを行う。固定網３から移動網５へハンドオーバを行うと、ステップＳ１０７の処理に進む。
【００５６】
（２）ＦＭＣ対応端末１が移動網５から固定網３へハンドオーバを行う場合：
ステップＳ１０１において、ＦＭＣ対応端末１は、固定網３に接続可能かを判定する。ここでは、固定網３に接続不可能であると判定されて、ステップＳ１０７の処理に進むものとする。
【００５７】
ステップＳ１０７において、ＦＭＣ対応端末１は、移動網５に接続する。
【００５８】
ステップＳ１０８において、ＦＭＣ対応端末１は、制御信号を受信可能であるかを判定する。制御信号を受信可能である場合には、ステップＳ１１０の処理に進む。一方、制御信号を受信不可能である場合には、ステップＳ１０９の処理に進む。
【００５９】
ステップＳ１０９において、課金サーバ７は、ＦＭＣ対応端末１に対して、移動網５についての課金を行う。
【００６０】
ステップＳ１１０において、ＦＭＣ対応端末１は、固定網受信通知を、移動網５又は固定網３を介して、課金サーバ７に向けて送信する。
【００６１】
ステップＳ１１１において、課金サーバ７は、ＦＭＣ対応端末１に対して、実際の接続先である移動網５ではなく、固定網３についての課金を行う。
【００６２】
ステップＳ１１２において、ＦＭＣ対応端末１は、固定網３（ＡＰ２）からの受信レベルを測定する。
【００６３】
ステップＳ１１３において、ＦＭＣ対応端末１は、固定網３と接続可能かを判定する。固定網３と接続可能であると判定された場合には、ステップＳ１１５の処理に進む。一方、固定網３と接続不可能、つまり通信を所定品質で実行できないと判定された場合には、ステップＳ１１４の処理に進む。
【００６４】
ステップＳ１１４においては、課金サーバ７は、一定時間経過するまで待ち、その後ステップＳ１０８の処理に戻る。
【００６５】
ステップＳ１１５において、ＦＭＣ対応端末１は、移動網５から固定網３へハンドオーバを行う。移動網５から固定網３へハンドオーバを行うと、ステップＳ１０２の処理に移行する。
【００６６】
（通信システムの動作シーケンス例）
次に、本実施形態に係る通信システムの動作シーケンス例について説明する。図５は、本実施形態に係る通信システムの動作シーケンスを示すシーケンス図である。このシーケンス図では、ＦＭＣ対応端末１が、固定網３と通信中に固定網３での通信品質が劣化し、固定網３から移動網５への切替（ハンドオーバ）を実行し、その後ＦＭＣ対応端末１が固定網３（ＡＰ２）からの制御信号が受信できなくなった場合の動作シーケンスを示している。
【００６７】
ステップＳ２０１において、ＦＭＣ対応端末１は、固定網３の待ち受けを行う。
【００６８】
ステップＳ２０２において、ＦＭＣ対応端末１は、ＡＰ２に対して発信開始要求を送信する。ステップＳ２０３において、固定網３、ＡＰ２、ＦＭＣ対応端末１間で所定の発信開始処理を実行し、通信を開始する。
【００６９】
ステップＳ２０４において、固定網３は、接続完了通知をＡＰ２へ送信する。ステップＳ２０５において、ＡＰ２は、固定網３からの接続完了通知をＦＭＣ対応端末１へ送信する。ステップＳ２０８において、ＡＰ２及びＦＭＣ対応端末１は、接続中の状態となる。
【００７０】
ステップＳ２０６において、固定網３は、課金サーバ７に対して固定網３での課金開始を通知する。固定網３での課金開始が課金サーバ７に通知されると、課金サーバ７は、ステップＳ２０７にて、ＦＭＣ対応端末１に対して固定網３の課金を開始する。
【００７１】
ステップＳ２０９において、ＡＰ２とＦＭＣ対応端末１との間で、通信品質が劣化し、通信品質を高品質に維持するのが困難な状態になったものとする。
【００７２】
ステップＳ２１０において、ＦＭＣ対応端末１は、通信品質が劣化した旨を示す品質劣化通知をＡＰ２へ送信する。ステップＳ２１１において、ＡＰ２は、ＦＭＣ対応端末１から受信した品質劣化通知を固定網３へ送信する。
【００７３】
ステップＳ２１２において、固定網３は、移動網５への接続の切り替えを要求する切替要求をＡＰ２及び移動網５へ送信する。ステップＳ２１３において、移動網５は、固定網３から受信した切替要求を移動網基地局４へ送信する。ステップＳ２１４において、ＡＰ２と移動網基地局４との間で同期・切替処理が実行され、ＦＭＣ対応端末１と移動網基地局４との間で切替処理が実行される。
【００７４】
ステップＳ２１５において、ＡＰ２は、制御信号をＦＭＣ対応端末１へ送信する。ステップＳ２１６において、ＦＭＣ対応端末１は、固定網受信通知と、接続先を切り替えたことを示す切替通知とを移動網基地局４へ送信する。ステップＳ２１７において、移動網基地局４は、ＦＭＣ対応端末１から受信した固定網受信通知及び切替通知を移動網５へ送信する。ステップＳ２１８において、移動網５は、移動網基地局４から受信した固定網受信通知及び切替通知を課金サーバ７へ送信する。
【００７５】
ステップＳ２１９において、課金サーバ７は、固定網受信通知及び切替通知を受信すると、移動網５での課金へ切り替えずに、固定網３での課金を維持する。
【００７６】
ステップＳ２２０において、ＦＭＣ対応端末１及び移動網５は、移動網基地局４を介して接続中の状態となる。
【００７７】
ステップＳ２２１において、ＡＰ２は、制御信号をＦＭＣ対応端末１へ送信する。ステップＳ２２２において、ＦＭＣ対応端末１は、固定網受信通知を移動網基地局４へ送信する。ステップＳ２２３において、移動網基地局４は、固定網受信通知を移動網５へ送信する。ステップＳ２２４において、移動網５は、固定網受信通知を課金サーバ７へ送信する。ステップＳ２２５において、課金サーバ７は、固定網３での課金を維持する。
【００７８】
ステップＳ２２６及びＳ２２７において、ＡＰ２とＦＭＣ対応端末１との間の無線品質が更に劣化したために、ＡＰ２が送信する制御信号がＦＭＣ対応端末１に未到達となる。この結果、固定網受信通知が課金サーバ７にて受信されなくなる。
【００７９】
ステップＳ２２８において、課金サーバ７は、固定網受信通知が受信されない状態が一定時間継続したと判定する。ステップＳ２２９において、課金サーバ７は、固定網３の課金から、移動網５の課金へ切り替える。
【００８０】
（作用・効果）
以上詳細に説明したように、本実施形態によれば、ＦＭＣ対応端末１が固定網３側からの制御信号を受信可能である場合には、実際には移動網５に接続していても、固定網３に接続しているとみなすことができる。したがって、ＦＭＣ対応端末１が固定網３に接続困難であるために移動網５に接続した場合、固定網３に接続した場合と同じ取り扱いを可能とすることができる。この結果、ＡＰの出力増大及び増設を行うことなく、常に一定以上の通信品質を維持しつつ、ユーザの利便性の向上やユーザの不満の解決することが可能な通信システムを提供できる。
【００８１】
（第１変形例）
本発明の実施形態の第１変形例として、上述した実施形態に係る通信システムとは、システム構成が異なる場合について説明する。図６は、本変形例に係る通信システムの全体構成例を示す図である。
【００８２】
本変形例に係る通信システムは、社内（構内）ネットワーク（第１通信網）５１と、社内サーバ（管理装置）７０１と、ＤＢ７０２と、公共（公衆）ネットワーク（第２通信網）３１と、通信機能を有するＰＣ（通信端末）１０１とを備えている。
【００８３】
社内のＤＢ７０２には、通常、社内からのアクセスのみ認められるが、社内ネットワーク５１からの制御信号をＰＣ１０１が受信できた場合には、ＰＣ１０１は、公共ネットワーク３１にＶＰＮ（Virtual Private Network）を構築する。この結果、ＰＣ１０１は、社内サーバ７０１を介してＤＢ７０２にアクセス可能となる。この場合、社内サーバ７０１は、ＰＣ１０１がＤＢ７０２にアクセスする際のアカウント管理を行う。
【００８４】
したがって、本変形例によれば、ＰＣ１０１が社内ネットワーク５１側からの制御信号を受信可能である場合には、実際には公共ネットワーク３１に接続していても、社内ネットワーク５１に接続しているとみなすことができる。この結果、ＰＣ１０１が実際には公共ネットワーク３１に接続していても、社内ネットワーク５１上のＤＢ７０２にアクセス可能となる。
【００８５】
（第２変形例）
本発明の実施形態の第２変形例として、上述した実施形態に係る通信システムとは、システム構成が異なる場合について説明する。図７は、本変形例に係る通信システムの全体構成例を示す図である。
【００８６】
本変形例に係る通信システムは、携帯電話端末（通信端末）１０２と、移動網３２及びその基地局２１（第１通信網）と、移動網５２及びその基地局４１（第２通信網）と、コアネットワーク６１と、コンテンツ提供サーバ（管理装置）７０３とを備える。
【００８７】
欧州などのように、国が隣接しているところの国境周辺では、移動網３２及びその基地局２１が設けられる国Ａと、移動網５２及びその基地局４１が設けられる国Ｂとが異なる場合がある。
【００８８】
コンテンツ提供サーバ７０３は、国Ａに対してのみコンテンツを提供しているものとすると、国Ｂに位置している携帯電話端末１０２においては、コンテンツ提供サーバ７０３からのコンテンツを受信することができない。
【００８９】
そこで、上記の実施形態と同様に、携帯電話端末１０２が基地局２１からの制御信号を受信できる場合には、コンテンツ提供サーバ７０３は、携帯電話端末１０２に対してコンテンツを提供することにする。この結果、携帯電話端末１０２は、国Ｂに位置していながら、国Ａのコンテンツにアクセス可能となる。
【００９０】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９１】
例えば、第１通信網が駅ビル構内の店舗の広告情報のような狭域情報を配信し、第２通信網が広域情報を配信しているような場合に、通信端末が第１通信網からの制御信号が受信できれば駅ビル近くに存在することが確実であるので、第１通信網の情報配信を行うといった構成に応用しても良い。
【００９２】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００９３】
【図１】本発明の実施形態に係る通信システムの全体構成例を示す図である。
【図２】本発明の実施形態に係るＦＭＣ対応端末の構成例を示す機能ブロック図である。
【図３】本発明の実施形態に係る課金サーバの構成例を示す機能ブロック図である。
【図４】本発明の実施形態に係る通信システムの動作概要を示すフローチャートである。
【図５】本発明の実施形態に係る通信システムの詳細な動作例を示すシーケンス図である。
【図６】本発明の実施形態の第１変形例に係る通信システムの全体構成例を示す図である。
【図７】本発明の実施形態の第２変形例に係る通信システムの全体構成例を示す図である。
【符号の説明】
【００９４】
１…ＦＭＣ対応端末、２…ＡＰ、３…固定網、４…移動網基地局、５…移動網、６…コアネットワーク、７…課金サーバ、８…障壁、１１…固定網用ＲＦ部、１２…固定網用ベースバンド部、１３…移動網用ＲＦ部、１４…移動網用ベースバンド部、１５…ＦＭＣ接続制御部、１６…上位層処理部、１７…入出力部、１８…表示部、２１…基地局、３１…公共ネットワーク、３２…移動網、４１…基地局、５１…社内ネットワーク、５２…移動網、６１…コアネットワーク、７１…通信Ｉ／Ｆ部、７２…検知部、７３…接続判定部、７４…課金処理部、７５…ＤＢ、１０１…ＰＣ、１０２…携帯電話端末、１６１…アプリケーション処理部、１６２…ＩＰ制御部、７０１…社内サーバ、７０２…ＤＢ  ７０３…コンテンツ提供サーバ
【図１】
2008092179.tif 000003
【図２】
2008092179.tif 000004
【図３】
2008092179.tif 000005
【図４】
2008092179.tif 000006
【図５】
2008092179.tif 000007
【図６】
2008092179.tif 000008
【図７】
2008092179.tif 000009